【手続補正書】
【提出日】平成17年3月17日(2005.3.17)
【手続補正１】
【補正対象書類名】明細書
【補正対象項目名】特許請求の範囲
【補正方法】変更
【補正の内容】
【特許請求の範囲】
【請求項１】
所定の画像データ記憶手段に記憶されている、地球表面を写した衛星写真などのリアル画像に対応する画像データに基づいて、表示装置の表示画面上に前記リアル画像を表示する第１の表示制御手段と、
前記表示画面上に表示されている前記リアル画像に対し、選択範囲を指定する選択範囲指定手段と、
該選択範囲指定手段により指定された前記選択範囲内のリアル画像に対応する画像データを取り込む第１の画像データ取込手段とを備えた情報処理装置であって、
所定の特定データ記憶手段に記憶されている、施設などのスポットを特定することのできる、名称や所在地などの特定事項に対応する特定データと、ユーザーが前記特定事項を入力するための入力手段を通じて入力された入力データとに基づいて、前記入力手段を通じて入力された前記特定事項に対応するスポットを求める第１のスポット算出手段と、
所定の画像表示位置データ記憶手段に記憶されている、前記スポットのリアル画像が表示される位置を示した画像表示位置データに基づいて、前記第１のスポット算出手段により求められた前記スポットのリアル画像が表示される位置を求める画像表示位置算出手段とを備え、
前記選択範囲指定手段が、前記画像表示位置算出手段により算出された前記スポットのリアル画像が表示される位置に基づいて、前記スポットのリアル画像を含むように、前記選択範囲を指定するものであることを特徴とする情報処理装置。
【請求項２】
所定の画像データ記憶手段に記憶されている、地球表面を写した衛星写真などのリアル画像に対応する画像データに基づいて、表示装置の表示画面上に前記リアル画像を表示する第１の表示制御手段と、
前記表示画面上に表示されている前記リアル画像に対し、選択範囲を指定する選択範囲指定手段と、
該選択範囲指定手段により指定された前記選択範囲内のリアル画像に対応する画像データを取り込む第１の画像データ取込手段とを備えた情報処理装置であって、
前記選択範囲指定手段が、ポインティング・デバイスを通じて入力された座標位置データに基づいて、前記選択範囲を指定するものであることを特徴とする情報処理装置。
【請求項３】
前記選択範囲指定手段が、前記表示画面上に表示されている前記リアル画像を複数の領域に分割するものであると共に、
前記選択範囲が、前記複数の領域の中から、前記ポインティング・デバイスを用いて指定された１以上の領域であることを特徴とする請求項２記載の情報処理装置。
【請求項４】
所定の画像データ記憶手段に記憶されている、地球表面を写した衛星写真などのリアル画像に対応する画像データに基づいて、表示装置の表示画面上に前記リアル画像を表示する第１の表示制御手段と、
所定の画像表示位置データ記憶手段に記憶されている、施設などのスポットのリアル画像が表示される位置を示した画像表示位置データと、ポインティング・デバイスを通じて入力された前記表示画面上における座標位置データとに基づいて、前記ポインティング・デバイスを用いて指定されるスポットを求める第２のスポット算出手段と、
該第２のスポット算出手段により求められた前記スポットのリアル画像が表示される位置に基づいて、前記スポットのリアル画像に対応する画像データを取り込む第２の画像データ取込手段とを備えていることを特徴とする情報処理装置。
【請求項５】
前記所定の画像データ記憶手段には、前記画像データと合わせてリンクデータが記憶されており、前記画像データが、所定の道路地図データ記憶手段に記憶されている道路地図データとリンクするように構成されると共に、
前記第１、又は前記第２の画像データ取込手段が、前記画像データを取り込む際に、前記リンクデータを合わせて取り込むものであることを特徴とする請求項１〜４のいずれかの項に記載の情報処理装置。
【請求項６】
前記道路地図データに基づいて、表示装置の表示画面上に道路地図が表示されるように構成されると共に、
前記第１、又は前記第２の画像データ取込手段により取り込まれた前記画像データに対応する前記リアル画像を、前記リンクデータに基づいて、前記道路地図上に表示する第２の表示制御手段を備えていることを特徴とする請求項５記載の情報処理装置。
【請求項７】
所定の道路地図データ記憶手段に記憶されている道路地図データに基づいて、表示装置の表示画面上に道路地図が表示されるように構成されると共に、
前記第１、又は前記第２の画像データ取込手段により取り込まれた前記画像データに対応する前記リアル画像を、前記道路地図上の所定の地点に表示する第３の表示制御手段を備えていることを特徴とする請求項１〜４のいずれかの項に記載の情報処理装置。
【請求項８】
ユーザーが登録を希望するスポットの情報を登録するためのスポット情報登録制御手段を備えると共に、
前記スポットの情報として登録されるデータに、前記第１、又は前記第２の画像データ取込手段により取り込まれた前記画像データが含まれていることを特徴とする請求項１〜４のいずれかの項に記載の情報処理装置。
【請求項９】
登録されているデータに基づいて、前記スポットの情報をユーザーに紹介する第１のスポット情報紹介手段を備え、
該第１のスポット情報紹介手段が、前記画像データに対応するリアル画像を表示する機能を含んでいることを特徴とする請求項８記載の情報処理装置。
【請求項１０】
前記スポット情報として登録されているスポットの中から、所定の条件に基づいて、複数のスポットを選択するスポット選択手段と、
該スポット選択手段により選択されたスポットの情報をユーザーに紹介する第２のスポット情報紹介手段とを備え、
該第２のスポット情報紹介手段が、前記画像データに対応するリアル画像を表示する機能を含んでいることを特徴とする請求項８記載の情報処理装置。
【請求項１１】
前記所定の画像データ記憶手段には、同一場所に対し、各種状況に応じたリアル画像に対応する画像データが記憶されると共に、各種状況を示した状況データが前記画像データと関連づけて記憶され、
前記第１、又は前記第２の画像データ取込手段が、同一場所を示すリアル画像に対応する画像データを、各種状況に応じて２以上取り込むと共に、前記状況データを取り込む機能を有すると共に、
前記第１、又は前記第２の画像データ取込手段により取り込まれた前記画像データに対応する前記リアル画像を、所定の時点における状況と、前記状況データとに基づいて、表示画面上に表示する第４の表示制御手段を備えていることを特徴とする請求項１〜４のいずれかの項に記載の情報処理装置。
【請求項１２】
所定の道路地図データ記憶手段に記憶されている道路地図データに基づいて、表示装置の表示画面上に道路地図が表示されると共に、自己の位置を把握することができるように構成され、
前記第１、又は前記第２の画像データ取込手段により取り込まれた前記画像データに対応するリアル画像を、前記道路地図上の所定位置に表示する第５の表示制御手段と、
前記道路地図上における前記自己の位置と、前記所定位置との関連性に基づいて、前記リアル画像の表示形態に変化を加える第６の表示制御手段とを備えていることを特徴とする請求項１〜４のいずれかの項に記載の情報処理装置。
【請求項１３】
所定の画像データ記憶手段には、地球表面を写した衛星写真などのリアル画像に対応する画像データとリンクデータとが記憶され、前記画像データが、所定の道路地図データ記憶手段に記憶されている道路地図データとリンクするように構成されており、
ユーザーにより目的地が設定されると、該目的地に対応する位置データ、及び前記リンクデータに基づいて、前記目的地のリアル画像に対応する画像データを取り込む第３の画像データ取込手段を備えていることを特徴とする情報処理装置。
【請求項１４】
前記第３の画像データ取込手段により取り込まれた前記画像データに対応するリアル画像を、前記道路地図上における前記目的地に対応する位置に表示する第７の表示制御手段を備えていることを特徴とする請求項１３記載の情報処理装置。
【請求項１５】
前記第３の画像データ取込手段により取り込まれた前記画像データを、所定の記憶手段へ記憶させる記憶制御手段と、
前記所定の記憶手段に記憶されている前記画像データに対応するリアル画像を表示画面上に表示する第８の表示制御手段とを備えていることを特徴とする請求項１３又は請求項１４記載の情報処理装置。
【請求項１６】
前記目的地までの誘導経路を算出する誘導経路算出手段と、
該誘導経路算出手段により算出された前記誘導経路に含まれる中継地に対応する位置データ、及び前記リンクデータに基づいて、前記中継地のリアル画像に対応する画像データを取り込む第４の画像データ取込手段とを備えていることを特徴とする請求項１３〜１５のいずれかの項に記載の情報処理装置。
【請求項１７】
前記第３の画像データ取込手段により取り込まれた前記画像データに対応するリアル画像と、前記第４の画像データ取込手段によち取り込まれた前記画像データに対応するリアル画像とを表示画面上に表示する第９の表示制御手段を備えていることを特徴とする請求項１６記載の情報処理装置。
【請求項１８】
リアル画像を表示画面上に表示する表示制御手段と、
前記表示画面上に表示されているリアル画像に対し、切り抜き範囲を選択する選択手段と、
該選択手段で選択された切り抜き範囲のリアル画像を切り抜く切抜手段と、
該切抜手段により切り抜かれたリアル画像を道路地図上にリンクさせて表示するリンク表示制御手段とを備えていることを特徴とする情報処理装置。
【手続補正２】
【補正対象書類名】明細書
【補正対象項目名】００５５
【補正方法】変更
【補正の内容】
【００５５】
上記情報処理装置（１７）によれば、前記第３の画像データ取込手段により取
り込まれた前記画像データに対応するリアル画像（すなわち、目的地のリアル画
像）と、前記第４の画像データ取込手段によち取り込まれた前記画像データに対
応するリアル画像（すなわち、中継地のリアル画像）とを表示画面上に表示する
ことができる。
従って、目的地はもちろんのこと、該目的地までの中継地（通過ポイント）の
リアル画像についてもユーザーは参照することができるので、前記目的地までの
誘導経路をしっかりと把握することができる。
【手続補正３】
【補正対象書類名】明細書
【補正対象項目名】００５６
【補正方法】変更
【補正の内容】
【００５６】
また、本発明に係る情報処理装置（１８）は、リアル画像を表示画面上に表示
する表示制御手段と、前記表示画面上に表示されているリアル画像に対し、切り
抜き範囲を選択する選択手段と、該選択手段で選択された切り抜き範囲のリアル
画像を切り抜く切抜手段と、該切抜手段により切り抜かれたリアル画像を道路地
図上にリンクさせて表示するリンク表示制御手段とを備えていることを特徴とし
ている。
上記情報処理装置（１８）によれば、表示画面上に表示されているリアル画像
（例えば、地球表面を写した衛星写真や航空写真）に対して選択された部分が切
り抜かれ、切り抜かれたリアル画像が道路地図上にリンクさせて表示される。例
えば、切り抜かれた自宅のリアル画像を、道路地図上の自宅位置に貼り付けるこ
とができる。従って、例えば、この情報処理装置をナビゲーション装置に採用す
れば、非常に付加価値の備わったナビゲーション装置を実現することができる。